(57)【特許請求の範囲】
【請求項１】
壁裏に敷設される給水管に壁の表側から脚配管を介在させて水栓を接続して、この脚配管と給水管との接続部を覆う水栓の配管カバー取付構造であって、
この脚配管の壁の表側にネジ部が露出形成されており、
このネジ部に回転自在にフランジを螺合しておき、
このフランジを覆うように配管カバーを設け、
さらに、この配管カバーを回転させることで、フランジを脚配管のネジ部に沿って螺旋回転させて壁側にスライドさせて、配管カバー内側に設けた突起部にフランジが壁面方向に圧接して、配管カバーが固定されることを特徴とする水栓の配管カバー取付構造。
【請求項２】
前記配管カバーは、上下対称に分割されていることを特徴とする請求項１に記載の水栓の配管カバー取付構造。
【請求項３】
前記配管カバーの内側には、係止片が形成されており、この係止片により配管カバーは脚配管に回転自在に係止されていることを特徴とする請求項１または２に記載の水栓の配管カバー取付構造。
【請求項４】
前記脚配管はＩ型形状であり、水栓を取付ける端部には袋ナットを形成しており、
前記配管カバーは、略円筒型もしくは略円錐型形状をしており、前面および後面に開口を形成し、かつ、側辺に沿って分割されており、
この配管カバーの開口が脚配管に設けた水栓取付用の袋ナットも覆い隠して脚配管に取付けられていることを特徴とする請求項２または３に記載の水栓の配管カバー取付構造。
【請求項５】
前記フランジは、少なくとも左右対向するように直線状の辺を形成しており、
配管カバー内側にガイド部を形成して、配管カバーを回転させたときにガイド部にフランジの辺が当接して共回りをして、フランジのみ脚配管のネジ部に沿って螺旋回転をすることを特徴とする請求項１乃至４のいずれか１つに記載の水栓の配管カバー取付構造。
【請求項６】
前記突起部は、前記係止片を兼用していること特徴とする請求項３に記載の水栓の配管カバー取付構造。
【発明の詳細な説明】
【０００１】
【発明の属する技術分野】
本発明は、水栓の配管カバーに関する。詳しくは、壁付け水栓への給水管ならびに給湯管を覆う配管カバーに関する。
【０００２】
【従来の技術】
従来、壁付け水栓は、図９に示すように、壁裏に敷設して壁面まで給水管（給湯管も含む）を取出し、この給水管にそれぞれクランク型の脚配管を介して水栓本体を接続している。
この構成を以下に詳しく説明する。
まず、壁裏に敷設された給水管の端部は、壁面とほぼ面一になるように埋設された脚配管接続受部（たとえば、エルボ）を形成している。そして、この脚配管接続受部に雌ねじが形成されている。
次に、この雌ねじにクランク型の脚配管の端部に形成された雄ねじ部をねじ込んで、給水管に脚配管を接続する。
なお、ねじ込む際に、水密性を保つために、予め雄ねじ部にシールテープを巻きつけておく。
【０００３】
次に、この給水管と脚配管との接続部分のみを配管カバーで覆い隠す。（クランク型の脚配管自体は配管カバーで覆われず露出されている。）
この配管カバーは、カップ形状で中央に開口部を形成している。
そして、この配管カバーを、給水管に脚配管を接続する際に予め脚配管の雄ねじ部に取付けておき、脚配管を脚配管接続受部に取付けた後に配管カバーをスライドさせてその接続部分のみを覆い隠すようにしている。つまり、配管カバーを脚配管のネジ部に螺旋回転させることで接続部分のみを覆い隠すようにしている。
【０００４】
そして、クランク型の脚配管の他端部に水栓取付部（袋ナット）が設けられており、給水側と給湯側の脚配管が所定の間隔となるようにセットして、水栓をこの脚配管の水栓取付部に接続して、水栓を取付けている。なお、袋ナットは、配管カバーに覆われることなく露出されている。
このようにクランク型の脚配管を用いることで、現場での施工者による脚配管接続受部の取付け誤差を吸収することができる。
【０００５】
【発明が解決しようとする課題】
しかしながら、この従来のクランク型の脚配管を用いる場合は、クランク型の脚配管が水栓裏側に露出し外観性が悪いという問題が生じている。
また、給湯管内に高温の湯が流れるため、給湯管自体が熱くなるため、給湯管に断熱カバーを取付けるが、断熱カバーを取付けることによりさらに外観性が低下することになってしまう。
また、クランク型の脚配管を用いる場合は、クランク部の露出を考慮して外観性を保つためにクランク部の表面処理を施すため部材費用が高くなるという問題と、壁から水栓の給水口までの前出寸法が大きくなるという問題もある。（壁から水栓本体まで約１００ｍｍ程度）
【０００６】
もしも、壁面に埋設された脚配管接続受部の間隔が、施工者に左右されずに、所定の寸法にセットできる場合は、この従来のクランク型の脚配管は不要とすることができる。
【０００７】
そこで、本発明者は、特にユニットバスルームに取付けられる水栓について、上記問題を考慮して、外観性ならびに確実にかつ容易に取付けられる配管カバーの開発に着手した。
ユニットバスルームにおいては、壁パネルを用いるため、この壁パネルに予め工場で脚配管接続受部を取付けるようにすれば、取付寸法（誤差）を工場で管理することができる。そのため、上述したような現場での施工者の取付け誤差を生じることがない。つまり、誤差吸収するクランク型の脚配管がなくとも水栓を容易に取付けることができるようになる。
また、クランク型の脚配管を用いなくてもよくなり、その分部材費用を低く抑えることができる。
さらに、Ｉ型の脚配管とすることにより、脚配管の軸に対して垂直方向の寸法を抑えた略円筒型もしくは略円錐台型のコンパクトな配管カバーで水栓と壁との間の脚配管を完全に覆うことができ、外観性を向上させることができる。
【０００８】
しかしながら、クランク型の脚配管のネジ部だけを覆う配管カバーに比べて、このような略円筒型もしくは略円錐台型の配管カバーとした場合、脚配管全体を覆うようにするために脚配管の軸方向に対しては寸法が大きくなってしまう。
そのため、配管カバーの取付け時に、がたつきを生じてしまうおそれがある。
そして、がたつきを無くして、確実に取付けができる配管カバーの取付構造をさらに鋭意研究開発し、本発明に行き着いたのである。
【０００９】
そこで、本発明では、上記の問題点に鑑みて、水栓と壁との間の外観性を向上させるとともに、配管カバーが脚配管に対してがたつくことなく、容易に壁面に密着して確実に取付けることができる水栓の配管カバーの取付構造を提供することを目的とする。
さらに、水栓を取付けた後にでも、配管カバーを取付けることができる水栓の配管カバーの取付構造を提供することを目的とする。
【００１０】
【課題を解決するための手段および作用・効果】
上記課題を解決すべく、本発明の請求項１では、壁裏に敷設される給水管に壁の表側から脚配管を介在させて水栓を接続して、この脚配管と給水管との接続部を覆う水栓の配管カバー取付構造であって、この脚配管の壁の表側にネジ部が露出形成されており、このネジ部に回転自在にフランジを螺合しておき、このフランジを覆うように配管カバーを設け、さらに、この配管カバーを回転させることで、フランジを脚配管のネジ部に沿って螺旋回転させて壁側にフランジをスライドさせて、配管カバー内側に設けた突起部にフランジが壁面方向に圧接して、配管カバーが固定されることを特徴とする水栓の配管カバー取付構造としたことである。
【００１１】
これにより、外観性を向上させることができるとともに、配管カバーを脚配管に対して取付けた後に回転させるだけの簡単な施工方法で、配管カバーが脚配管に対してがたつくことなく、容易に壁面に密着して確実に取付けることができる。
【００１２】
本発明の請求項２では、前記配管カバーは、上下対称に分割されていることを特徴とする。
【００１３】
これにより、水栓を取付けた後にでも、配管カバーを確実に脚配管を覆うように取付けることができる。
特に、配管カバー自身が螺旋回転するのではなく別体のフランジが螺旋回転するため、分割した配管カバーの合わせ面の精度を上げる必要がない。
もしも配管カバー自身に雌ネジを形成した場合、配管カバーを合わせたときにネジに沿って螺旋回転するように製造精度を上げ、またネジ山がつぶれないように雌ネジの強度を上げるため配管カバー全体のコストアップとなってしまうが、本発明ではこのような問題は生じない。
【００１４】
本発明の請求項３では、前記配管カバーの内側には、係止片が形成されており、この係止片により配管カバーは脚配管に回転自在に係止されていることを特徴とする。
【００１５】
これにより、係止片がガイドとなるため、配管カバーを回転させるときに、脚配管の軸方向に対して垂直方向にずれてがたつくことがなく、施工性を向上することができる。
【００１６】
本発明の請求項４では、前記脚配管はＩ型形状であり、水栓を取付ける端部には袋ナットを形成しており、前記配管カバーは、略円筒型もしくは略円錐型形状をしており、前面および後面に開口を形成し、かつ、側辺に沿って分割されており、この配管カバーの開口が脚配管に設けた水栓取付用の袋ナットも覆い隠して脚配管に取付けられていることを特徴とする。
【００１７】
これにより、Ｉ型の脚配管を用いた場合は、従来のクランク型の脚配管を用いるよりも部品コストを下げ、壁から水栓の給水口までの前出寸法を抑えることができる。
さらに脚配管の袋ナットまでも配管カバーで覆うことで見えなくして一層外観性を向上させることができる。水栓と壁との間の脚配管は、完全に配管カバーで覆うことができる。
【００１８】
本発明の請求項５では、前記フランジは、少なくとも左右対向するように直線状の辺を形成しており、配管カバー内側にガイド部を形成して、配管カバーを回転させたときにガイド部にフランジの辺が当接して共回りをして、フランジのみ脚配管のネジ部に沿って螺旋回転をすることを特徴とする。
【００１９】
これにより、簡単な構造で、配管カバーの回転に伴なってフランジを螺旋回転させることができる。
【００２０】
本発明の請求項６では、前記突起部は、前記係止片を兼用していること特徴とする。
【００２１】
これにより、配管カバーの内側の形状を簡略化することができる。
【００２２】
【発明の実施の形態】
本発明の一実施の形態である水栓４の配管カバー１の取付け構造について以下に説明する。
図１は、水栓４の脚配管３に配管カバー１を取付けるときの状態図である。
この配管カバー１は上側カバー１Ａと下側カバー１Ｂとによって分割して構成しているので、水栓４を脚配管３に取付けた後でも、脚配管３を覆い隠すように配管カバー１を容易に取付けることができる。
図２は、水栓４の脚配管３に配管カバー１を取付けた状態を示す斜視図である。
このように、水栓４と壁との間を配管カバー１で覆ってしまうため、水栓４の裏側をすっきりと外観性を保持することができる。
【００２３】
図３および４は、それぞれ図２の平面図と側面図を示す。壁裏に敷設する給水管２（給湯管含む）に壁１１の表側から脚配管３を介在させて水栓４を接続している。
そして、この脚配管３と給水管２との接続部を覆う水栓４の配管カバー１が取付られている。
【００２４】
さらに、図１および図５に示すように、この脚配管３の壁１１の表側にネジ部７が露出形成されており、このネジ部７に回転自在にフランジ５を螺合してある。
このフランジ５とさらに脚配管３と給水管２との接続部を覆うように配管カバー１を覆い被せて設ける。
その後、図２および図６に示すように、この配管カバー１を回転させることで、フランジ５も同時に回転する。ただし、フランジ５はネジ部７に螺合しているので、図５に示すように、フランジ５のみ脚配管３のネジ部７に沿って螺旋回転して壁側１１方向にスライドする。つまり、フランジ５は、図５（Ａ）の状態から図５（Ｂ）の状態にスライドする。
このとき、配管カバー１内側に設けた突起部９にフランジ５が圧接されて、配管カバー１の後面１４と壁面１１が接するように配管カバー１が固定される。つまり、配管カバー１はフランジ５と壁面１１に挟まれた状態となり、配管カバー１をがたつくことなく確実に脚配管３に取付けることができる。
【００２５】
また、脚配管３の水栓４を取付ける端部に袋ナット６を形成している。そして、水栓４裏側に形成されたネジ部７（図示せず）がこの袋ナット６に螺合され取付けられる。特に、脚配管３は、Ｉ型形状のものが好ましい。
【００２６】
本実施例においては、配管カバー１とフランジ５とを別体で形成しているため、フランジ５を金属製とすることでネジ山の変形を抑え、配管カバー１を樹脂製とすることで配管カバー１の内部構造の成形をしやすくすることができる。なお、配管カバー１の表面は、めっき処理を施して、外観性を向上することが好ましい。
【００２７】
次に、配管カバー１について、図１および図８に基づき、以下で詳しく構造を説明する。
配管カバー１は、略円筒型もしくは略円錐型形状をしており、前面１３および後面１４に開口１５を形成し、かつ、側辺１６に沿って２分割されている。つまり、立壁面１１の設置状態において、上下（もしくは左右）対称に分割されている。
この配管カバー１の内側には、脚配管３のネジ部７を挟み込むための係止片８が形成されている。
詳しくは、分割された配管カバー１のそれぞれに１対の係止片８が形成されている。１対の係止片８において、１方の係止片８は１本であり、他方の係止片８は係止片８の厚さ分の距離を隔てて２本形成している。
そして、分割された一方の配管カバー１に設けた２本の方の係止片８間に、他方の配管カバー１に設けた１本の方の係止片８を挟み込むように、これらの係止片８を配置している。
さらに、係止片８の端部は脚配管３に係止しやすくするために傾斜部１７を形成し、さらに中央には円弧状の切欠部１８が形成されている。
この係止片８により配管カバー１は脚配管３に回転自在に係止できるようになっている。なお、図示するように前述した突起部９は、この係止片８を兼用することがより好ましい。
なお、１対の係止片８間に位置するように配管カバー１の内側には、ずれ防止用突起片１２を設けている。このずれ防止用突起片１２には、上記係止片８と同様に脚配管３側に円弧形状の切欠部１９が形成されている。
【００２８】
また、図６に示すように、配管カバー１の内側には、前述した係止片８より水栓取付け側にガイド部１０を形成している。これにより、ネジ部７以外の部材も配管カバー１にて覆い被せることができる。そのため、水栓４の裏側の外観性を向上させることができる。
このガイド部１０は、配管カバー１を回転させたときにガイド部１０にフランジ５が当接して共回りをする。ただし、フランジ５のみ脚配管３のネジ部７に沿って螺旋回転をする。
なお、フランジ５は、図７に示すように、ガイド部１０に当接するように少なくとも左右対向する直線状の辺５ａを形成している。
【００２９】
上述した配管カバー１の開口が脚配管３を覆うように取付け、袋ナット６も含めて脚配管３が覆い隠されるように配管カバー１を取付けることができるのである。
また、このような配管カバー１の取付構造とすることで、クランク型の脚配管を用いたときに比べ、壁面１１から前出寸法を小さく抑えることができる。（壁から水栓本体まで約８０〜９０ｍｍ程度）
【００３０】
次に、施工手順を説明する。
（１）壁１１に脚配管３を取付ける。このときに予めフランジ５はネジ部７に螺合しておく。
（２）この脚配管３の袋ナット６に水栓４に設けたネジ部７を螺合する。
（３）フランジ５を壁面１１から離した位置に配置しておき、このフランジ５と袋ナット６とを配管カバー１で覆うように取付ける。分割した一方の配管カバー１のガイド部１０がフランジ５に位置するように脚配管３に係止片８を用いて係止して、一方の配管カバー１を取付ける。その後、他方の配管カバー１を合わせるようにして取付ける。
（４）取付けられた配管カバー１を回転させる。
これにより、フランジ５が配管カバー１とともに回転される。ただし、フランジ５のみは、脚配管３のネジ部７に螺合されているので脚配管３に沿って螺旋回転して壁側の方にスライドされる。そして、フランジ５が配管カバー１の突起部９を壁側に押しつけるように働き、壁とフランジ５に挟み込まれるようにして配管カバー１ががたつかないように確実に取付けられる。
（５）なお、分割されている側辺１６のラインが取付けた状態において、側方に向くように取付ける。
以上で取付け完了する。
【００３１】
【発明の効果】
以上により、水栓と壁との間の外観性を向上させるとともに、配管カバーが脚配管に対してがたつくことなく、容易に壁面に密着して確実に取付けることができる水栓の配管カバーの取付構造を提供することができる。
さらに、水栓を取付けた後にでも、配管カバーを取付けることができる水栓の配管カバーの取付構造を提供することができる。
【図面の簡単な説明】
【図１】  本件発明の一実施の形態である水栓の配管カバーの取付構造を示す。
【図２】  図１における配管カバーを取付けた状態を示す。
【図３】図２の平面図を示す。
【図４】図２の側面図を示す。
【図５】図２における配管カバーの取付部分の部分断面図を示す。
【図６】図５におけるフランジ部分の断面図を示す。
【図７】図５におけるフランジを示す。
【図８】図１における配管カバーを示す。
【図９】従来の水栓の配管カバーの取付構造を示す。
【符号の説明】
１  配管カバー
１Ａ  上側の配管カバー
１Ｂ  下側の配管カバー
２  給水管（給湯管）
３  脚配管
４  水栓
５  フランジ
５ａ  直線状の辺
６  袋ナット
７  ネジ部
８  係止片
９  突起部
１０  ガイド部
１１  壁面（表側）
１２  ずれ防止用突起片
１３  前面
１４  後面
１５  開口
１６  側辺
１７  傾斜部
１８  切欠
【図１】
0004622186.tif 000002
【図２】
0004622186.tif 000003
【図３】
0004622186.tif 000004
【図４】
0004622186.tif 000005
【図５】
0004622186.tif 000006
【図６】
0004622186.tif 000007
【図７】
0004622186.tif 000008
【図８】
0004622186.tif 000009
【図９】
0004622186.tif 000010